(57)【要約】【課題】電気機器を大幅に改造することなく、病室等の設置された電気機器からマイナスイオンやオゾンを発生させて室内空間に供給して、マイナスイオンによる癒し効果あるいは殺菌・消毒・脱臭等を行うことができる電気機器のカードタイマー装置を提供する。【解決手段】磁気又はＩＣカードリーダーライター３及び電気機器制御基板４とを備えたタイマー制御部５と、電気機器７のスイッチ制御基板８とを信号ケーブルで接続配備し、又は、電気機器７の電源コンセント１７をタイマー制御部５にスイッチリレー１５を介して接続配備し、磁気又はＩＣカードリーダーライター３で読み取った磁気又はＩＣカードのデーターの利用度数を時間単位に演算処理し、加算・減算してデーターを書き換える。マイコン判断手段により利用時間のみ電気機器７を稼動すると共に、タイマー制御部５に連動するマイナスイオン発生器９及び／又はオゾン発生器１０を設ける。【選択図】      図１
2004178022.tif 000002
【特許請求の範囲】
【請求項１】
磁気又はＩＣカードリーダーライター及び制御基板とを備えたタイマー制御部と、電気機器のスイッチ制御基板とを信号ケーブルで接続配備し、前記磁気又はＩＣカードリーダーライターで読み取った磁気又はＩＣカードのデーターの利用度数を時間単位に演算処理し、加算・減算してデーターを書き換えると共に、カードの利用度数の有無を信号確認できるマイコン判断手段を有し、該マイコン判断手段により電気機器のスイッチのオン・オフを行ない利用時間のみ電気機器を稼動するようにされた電気機器のカードタイマー装置において、前記タイマー制御部に連動するマイナスイオン発生器及び／又はオゾン発生器を備えたことを特徴とする電気機器のカードタイマー装置。
【請求項２】
磁気又はＩＣカードリーダーライター及び制御基板とを備えたタイマー制御部と、電気機器の電源装置とをスイッチリレーを介して接続配備し、前記磁気又はＩＣカードリーダーライターで読み取った磁気又はＩＣカードのデーターの利用度数を時間単位に演算処理し、加算・減算してデーターを書き換えると共に、カードの利用度数の有無を信号確認できるマイコン判断手段を有し、該マイコン判断手段により前記スイッチリレーのオン・オフを行ない電力を供給あるいは遮断して利用時間のみ電気機器を稼動するようにされた電気機器のカードタイマー装置において、前記タイマー制御部に連動するマイナスイオン発生器及び／又はオゾン発生器を備えたことを特徴とする電気機器のカードタイマー装置。
【発明の詳細な説明】
【０００１】
【発明の属する技術分野】
本発明は、病院やホテル等においてテレビやビデオ等の各種電気機器を有料で使用する際に、磁気又はＩＣカードを用いて電気機器の利用及び利用料金の精算処理を行なうカードタイマー装置に関し、特にマイナスイオン発生器及び／又はオゾン発生器を備えたカードタイマー装置に関するものである。
【０００２】
【従来の技術】
従来、病院等において、入院患者が、病室に設置された電気機器、例えばテレビの視聴料金を精算する技術として、プリペイドカード方式のタイマー装置を付設することがある。この方式では、テレビの視聴（利用）可能度数を予め記録した磁気カード又はＩＣカードをタイマー装置に挿入し、カードに記録された視聴可能度数に応じた所定時間内での視聴を可能としている。具体的には、テレビが電源オンされてからの視聴時間をタイマーで計測し、その時間に応じて磁気カードの視聴可能度数を減算し、その残り度数が無くなったときは、テレビの視聴を不可能な状態にする（例えば、特許文献１参照）。
【０００３】
【特許文献１】
特許第３０３１４０６号特許公報
【０００４】
一方、マイナスイオンは、生体の細胞を活性化し、自律神経の安定、疲労回復など、人体に好影響を付与するものとして知られ、マイナスイオン発生器を搭載した電気機器、例えば、空気清浄器やエアコン、ヘアドライアー等が提案されている（例えば、特許文献２参照）。
【０００５】
【特許文献２】
特開２０００−８１２２７号公報
【０００６】
また、オゾン（Ｏ３）は、強い酸化力を持ちオゾンを酸化剤として用いたときは、有害残滓がなく、殺菌力が強いため、バクテリアやウィルスなどを除去し、また、強い漂白作用をも有している。更に、煙や臭気ガス、各種有害物質などの有機物質と反応して無害化する効果も有している。オゾンの生成方法としては、例えば、電気的、化学的プロセスで生成したり、酸素を加熱したり、または、空気中の赤外線照射によってもオゾンが生成される。一般的なオゾンの生成方法は、酸素を含む気流に高電圧をかける。これにより発生する放電が酸素の一部をオゾンに変える。
【０００７】
【発明が解決しようとする課題】
ところで近年、病室の患者一人一人にそれぞれ専用のテレビや電話、冷蔵庫を備えることが多くなっており、専用電気機器の利用範囲がますます拡大している。そこで、本発明者らはこの電気機器からマイナスイオンやオゾンを発生させて室内空間に供給して、マイナスイオンによる癒し効果あるいは殺菌・消毒・脱臭等を行うことを考えた。しかしながら、各々の電気機器に夫々これらの機器を搭載することは電気機器自体の大幅な改造を要するため手間がかかるばかりでなく、コストが嵩むという問題があった。本発明は、上記問題点に鑑み、電気機器の課金に使用されるカードタイマー装置にマイナスイオンやオゾン発生機器を搭載することで、電気機器を大幅に改造することなく、かつ上記のような要請に適切に対応することができる電気機器のカードタイマー装置を提供することを目的とするものである。
【０００８】
【課題を解決するための手段】
すなわち、本発明は、磁気又はＩＣカードリーダーライター及び制御基板とを備えたタイマー制御部と、電気機器のスイッチ制御基板とを信号ケーブルで接続配備し、前記磁気又はＩＣカードリーダーライターで読み取った磁気又はＩＣカードのデーターの利用度数を時間単位に演算処理し、加算・減算してデーターを書き換えると共に、カードの利用度数の有無を信号確認できるマイコン判断手段を有し、該マイコン判断手段により電気機器のスイッチのオン・オフを行ない利用時間のみ電気機器を稼動するようにされた電気機器のカードタイマー装置において、前記タイマー制御部に連動するマイナスイオン発生器及び／又はオゾン発生器を備えたことを第１の特徴とする。また、磁気又はＩＣカードリーダーライター及び制御基板とを備えたタイマー制御部と、電気機器の電源装置とをスイッチリレーを介して接続配備し、前記磁気又はＩＣカードリーダーライターで読み取った磁気又はＩＣカードのデーターの利用度数を時間単位に演算処理し、加算・減算してデーターを書き換えると共に、カードの利用度数の有無を信号確認できるマイコン判断手段を有し、該マイコン判断手段により前記スイッチリレーのオン・オフを行ない電力を供給あるいは遮断して利用時間のみ電気機器を稼動するようにされた電気機器のカードタイマー装置において、前記タイマー制御部に連動するマイナスイオン発生器及び／又はオゾン発生器を備えたことを第２の特徴とする。
【０００９】
本発明では、磁気又はＩＣカードをカードリーダライターに挿入して、利用電気機器側の利用時間表示をセットする。タイマー制御部側の制御基板と利用電気機器側制御基板のマイコン手段により、データ度数を時間単位に演算処理してデータの書換えと共に、利用機器の利用時間をマイコン判断手段によってタイマー制御部で演算処理して利用電気機器を制御すると共に、タイマー制御部に連動させてマイナスイオン発生器及び／又はオゾン発生器を稼動させる。
【００１０】
【発明の実施の形態】
以下に、本発明の一実施の形態を図面に示す実施例に基づいて説明する。
図１は本発明の一実施例を示す系統説明図、図２は本発明の他の実施例を示す系統説明図、図３はマイナスイオン発生器のブロック図、図４はオゾン発生器のブロック図である。
【００１１】
【実施例】
図１に示すように、本実施例のカードタイマー装置は、磁気又はＩＣカードリーダーライター３及び制御基板４とを備えたタイマー制御部５と、電気機器（例えば、テレビ受像機）７のスイッチ６を制御する制御基板８に接続配備し、前記磁気又はＩＣカードリーダーライター３で読み取った磁気又はＩＣカードのデーターの利用度数を時間単位に演算処理し、加算・減算してデーターを書き換えると共に、カードの利用度数の有無を信号確認できるマイコン判断手段を有し、該マイコン判断手段により利用時間のみ電気機器を稼動するようにされ、加えて、タイマー制御部５に連動するマイナスイオン発生器９及び／又はオゾン発生器１０が電気機器制御基板４に接続配備されている。
【００１２】
すなわち、カードタイマー装置は、電源コンセント１によって電源に接続される電源基板２と、該電源基板２に接続された磁気カードリーダーライター３と、前記電源基板２及び磁気カードリーダーライター３に接続された電気機器制御基板４と、電気機器７のスイッチ制御基板８とを信号ケーブルで接続配備しあって、磁気カードリーダーライター３で読み取ったデーターの度数を時間単位に演算処理し、加算・減算してデーターを書き換えると共に、カードの利用度数の有無を信号確認できるマイコン判断手段を前記タイマー制御部５の電気機器制御基板４に持ち、マイコン判断手段により利用時間のみ電気機器７、例えば、テレビ、冷蔵庫、クーラーなどの機能を働かせ、機能させた時に前記タイマー制御部５の電気機器制御基板４に信号を送って、利用時間に応じたカードのカード度数を時間単位に減算又は加算の精算処理して電気機器７のスイッチ制御基板８を制御するようにしたものである。
【００１３】
加えて、図３に示すように、電気機器制御基板４から６０００Ｖの高電圧を発生できるようにされた高圧電源ユニット１１を介して、コロナ放電極１２が接続され、マイナスイオン発生部９が設けられている。ここで、コロナ放電極１２としては、例えば、板状の電極と針状電極との間に電圧を加えるタイプのものが使用される。尚、図４に示すように、コロナ放電極１２に変えてある種のセラミック放電極１３を接続することで、オゾン発生部１０とすることもできる。尚、図中１４は、拡散用のファンである。
【００１４】
タイマー制御部５の電気機器制御基板４としては、Ｉ／Ｏポートと、入力機器からの入力データを入れられる命令と、データーとを記憶させるメモリ、例えばＲＡＭ、ＲＯＭなどのＩＣチップと、該メモリから命令を取り出し算術論理演算を行なうＣＰＵとからなるマイコンを用い、インターフェイス回路に接続してある。電源基板２はマイナスイオン発生器９又はオゾン発生器１０にも電源を供給してマイナスイオン又はオゾンを発生させる。したがって、電気機器制御基板４は商用電源を入力してこれらを発生させるために適切な電圧を生成するためのトランス及び整流器を含んでなる。尚、図２に示すように、磁気カードリーダーライター３に接続された電気機器制御基板４と、電気機器７のスイッチ制御基板８とを信号ケーブルで接続配備しあうことなく、電気機器制御基板４にスイッチリレー１５を接続配備し、電気機器７の電源装置１６に電力を供給するためのコンセント１７をこのスイッチリレー１５を介して接続し、スイッチリレー１５のオン・オフにより電力を供給あるいは遮断し、電気機器７のオン・オフを行うようにしても良い。
【００１５】
【発明の効果】
本発明は以上のように構成したので、電気機器を大幅に改造することなく、病室等の設置された電気機器からマイナスイオンやオゾンを発生させて室内空間に供給して、マイナスイオンによる癒し効果あるいは殺菌・消毒・脱臭等を行うことができるという優れた効果がある。
【図面の簡単な説明】
【図１】本発明の一実施例を示す系統説明図である。
【図２】本発明の他の実施例を示す系統説明図である。
【図３】マイナスイオン発生器のブロック図でる。
【図４】オゾン発生器のブロック図である。
【符号の説明】
１      電源コンセント
２      電源基板
３      カードリーダーライター
４      電気機器制御基板
５      タイマー制御部
６      電気機器のスイッチ
７      電気機器（テレビ等）
８      スイッチ制御基板
９      マイナスイオン発生器
１０    オゾン発生器
１１    高圧電源ユニット
１２    コロナ放電極
１３    セラミック放電極
１４    拡散用ファン
１５    スイッチリレー
１６    電気機器の電源装置
１７    電気機器のコンセント
【図１】
2004178022.tif 000003
【図２】
2004178022.tif 000004
【図３】
2004178022.tif 000005
【図４】
2004178022.tif 000006